(57)【要約】【課題】  本発明の課題は、ガラス玉のようなボールを迷路に沿って転がして遊ぶ迷路ゲームであり、幼児でもボード上に迷路を容易に構成することができる迷路パズルを提供すること。【解決手段】  外周を額縁２により囲われ、全面に亘って縦横に一定間隔を保って透孔３を穿設したボード１と、ボード１における一個又は複数個の透孔３に重なるように、長さの異なる縦方向及び横方向の多数のスリット６を穿設した迷路作製板５と、迷路作製板５の各スリット６と同一長さであって、下端にボード１の透孔３と同数の脚部１０を設けた多数の仕切り板９とよりなり、前記ボード１の透孔と迷路作製板５のスリット６が重なるように、ボード１上に迷路作製板５を載置し、各スリット６内に、そのスリット６と同一長さの一枚の仕切り板９、又はそのスリット６の長さより短い複数枚の仕切り板９の下端を嵌合すると共に、下端の脚部１０を透孔３に嵌入することにより、仕切り板９により左右両側を覆われた迷路を形成する。【選択図】      図１
2011015866.tif 000002
【特許請求の範囲】
【請求項１】
外周を額縁により囲われ、全面に亘って縦横に一定間隔を保って透孔を穿設したボードと、ボードにおける一個又は複数個の透孔に重なるように、長さの異なる縦方向及び横方向の多数のスリットを穿設した迷路作製板と、迷路作製板の各スリットと同一長さであって、下端にボードの透孔と同数の脚部を設けた多数の仕切り板とよりなり、前記ボードの透孔と迷路作製板のスリットが重なるように、ボード上に迷路作製板を載置し、各スリット内に、そのスリットと同一長さの一枚の仕切り板、又はそのスリットの長さより短い複数枚の仕切り板の下端を嵌合すると共に、下端の脚部を透孔に嵌入することにより、仕切り板により左右両側を覆われた迷路を形成することを特徴とした迷路パズル。
【請求項２】
各迷路作製板のスリットの周辺に、長さに応じて異色の識別表示部を設け、仕切り板は、同一長さのスリットの識別表示部と同色に着色した請求項１に記載の迷路パズル。
【発明の詳細な説明】
【技術分野】
【０００１】
本発明は、子供が幾通りもの迷路を組み立てることができる迷路パズルに関するものである。
【背景技術】
【０００２】
ボード上に一定間隔で穿設した穴に、多数のブロック片の突起を嵌合することにより、ボード上にブロック片による様々な迷路を形成する迷路パズルが実開昭６１−９６９７４号公報に開示されている。
【０００３】
この迷路パズルは、ボードへのブロック片の取り付け位置を変えることにより、別の迷路を形成するものであるが、幼児が迷路を創作することは極めて困難である。
【０００４】
また迷路の一部を構成するガードを表示した複数枚のパネルを、ボード上に並べて迷路を構成する迷路パズルが、実開昭６３−１３００９１号公報、特開平６−２３１４６号公報が開示されている。
【０００５】
この迷路パズルは、子供にジグソウパズルの感覚でパネルをボード上に並べながら迷路を形成させようとするものであり、多くのパネルの中から迷路の一部が連なるように、パネルを選びながらボード上に並べて一連の迷路を形成しなければならないので、幼児では扱いが困難である。
【先行技術文献】
【特許文献】
【０００６】
【特許文献１】実開昭６１−９６９７４号公報
【特許文献２】実開昭６３−１３００９１号公報
【特許文献３】特開平６−２３１４６号公報
【発明の概要】
【発明が解決しようとする課題】
【０００７】
本発明が解決しようとする課題は、ガラス玉のようなボールを迷路に沿って転がして遊ぶ迷路ゲームであり、幼児でもボード上に異なった迷路を容易に構成することができる迷路パズルを提供することである。
【課題を解決するための手段】
【０００８】
本発明に係る請求項１の迷路パズルは、  外周を額縁により囲われ、全面に亘って縦横に一定間隔を保って透孔を穿設したボードと、ボードにおける一個又は複数個の透孔に重なるように、長さの異なる縦方向及び横方向の多数のスリットを穿設した迷路作製板と、迷路作製板の各スリットと同一長さであって、下端にボードの透孔と同数の脚部を設けた多数の仕切り板とよりなり、前記ボードの透孔と迷路作製板のスリットが重なるように、ボード上に迷路作製板を載置し、各スリット内に、そのスリットと同一長さの一枚の仕切り板、又はそのスリットより短い複数枚の仕切り板の下端を嵌合すると共に、下端の脚部を透孔に嵌入することにより、仕切り板により左右両側を覆われた迷路を形成することを特徴としている。
【０００９】
本発明に係る請求項２の迷路パズルは、請求項１の発明において、各迷路作製板のスリットの周辺に、長さに応じて異色の識別表示部を設け、仕切り板は、同一長さのスリットの識別表示部と同色に着色したことを特徴としている。
【００１０】
上記請求項１、２の迷路パズルにおけるボードの透孔は、格子の交点に当る位置に断面円形又は断面四角形に形成する場合と、交点と交点の間に当る位置にスリット状に形成する場合がある。迷路作製板は、ボードと同一大のものと、ボードより小さなものがある。またスリットの位置を異にした複数枚の迷路作製板で構成するのが好ましい。
【００１１】
迷路作製板がボードと同一大の場合は、ボード上に重ねた迷路作製板の各スリットに、これと同一長さの仕切り板の下端を嵌合し、脚部をボードの透孔に嵌入すれば、迷路作製板上に突出した仕切り板とボードの額縁とにより迷路が形成される。迷路作製板を裏返すとか、別の迷路作製板と取り換えることにより、様々なルートの迷路が形成される。
【００１２】
迷路作製板がボードより小さい場合は、ボードの隅部に迷路作製板を突合せるか、透孔にスリットが重なるようにボードの適所に重ねた後、各スリットに仕切り板を嵌合すると共に、脚部を透孔に嵌入し、更に額縁により囲われていない迷路作製板の外側の透孔に仕切り板の脚部を嵌入して囲い壁を形成すれば、迷路作製板上に迷路が形成される。前記と同様に迷路作製板を裏返すとか、別の迷路作製板と取り換えることにより、様々なルートの迷路が形成される。
【００１３】
また迷路作製板の外側の囲い壁の一部に迷路のゲートを形成し、迷路作製板の外側位置のボード上の透孔に、仕切り板の脚部を嵌合して任意の迷路を形成すれば、更に異なった迷路が構成される。
【００１４】
迷路作製板の一辺が、ボードの一辺の１／２以下の長さの場合、ボード上に複数枚の迷路作製板を並べ、各迷路作製板の外側に囲い壁を形成すると共に、囲い壁にゲートを形成し、迷路作製板間に仕切り板により通路を形成すれば、この通路により各迷路作製板上の迷路は連結される。
【００１５】
請求項２の迷路パズルは、スリットの識別表示部と同一色の仕切り板を選ぶことにより、容易に迷路が形成される。
【発明の効果】
【００１６】
請求項１の迷路パズルは、ボード上に重ねた迷路作製板のスリットに、仕切り板を差し込んで下端に設けた脚部をボードの透孔に嵌合すれば、子供が容易に迷路を形成することができる。また迷路作製板を裏返したり、別のスリットを穿設した迷路作製板に変更すれば、子供が幾通りもの迷路を簡単に構成し、迷路の一端から他端までガラス玉などを転がして、厭きることなく楽しむことができる。
【００１７】
迷路作製板がボードより小さい場合は、請求項１の場合と同様に、ボード上に載置して迷路を容易に形成することができる。また迷路作製板に隣接させてボード上に迷路を形成し、この創作した迷路と迷路作製板上の迷路とを連結するときは、子供が創造力を働かせながら迷路ゲームを楽しむことができる。更に迷路作製板のスリットに、そのスリットより短い２枚以上の仕切り板を並べて嵌合することにより、数の合成、分解の数感覚を養うことができる。
【００１８】
請求項２の迷路パズルは、ボード上に並べた迷路作製板のスリットに、その色と同じ色の仕切り板を嵌合すれば、簡単に迷路が形成せれるため、幼児でも自分の力で簡単に迷路を構成し、迷路ゲームを楽しむことができる。
【図面の簡単な説明】
【００１９】
【図１】本発明に係る迷路パズルの実施形態を示す平面図である。
【図２】図１に示すＡ−Ａ断面図である。
【図３】同上実施形態におけるボードの平面図である。
【図４】図３に示すＢ−Ｂ断面図である。
【図５】同上実施形態における迷路作製板の平面図である。
【図６】同上実施形態における仕切り板の正面図である。
【図７】本発明に係る迷路パズルの別の実施形態を示す平面図である。
【図８】図７に示すＣ−Ｃ断面図である。
【図９】本発明に係る迷路パズルの更に別の実施形態を示す平面図である。
【発明を実施するための形態】
【００２０】
ボードにおける１個又は複数個の透孔に合致するスリットを穿設した迷路作製板は、ボード全体に重なる大きさのものと、ボードより小さなものとがある。以下、前者の場合を図１〜図６に基づいて実施例１で、後者の場合を図７〜図９に基づいて実施例２及び実施例３で詳細に説明する。
【実施例１】
【００２１】
図１〜図６中の符号１は額縁２内に嵌着したボードであり、全面に一定長さの透孔３を格子状に穿設している。また四隅及び前後左右の中央にはガラス玉が通過する孔４を設けている。
【００２２】
符号５はボード１の全面に重なる大きさの複数枚の迷路作製板であり、ボード１における一個又は複数個の透孔３に重なるように長さの異なる縦方向及び横方向の多数のスリット６を、一枚毎に異なる位置に穿設している。このスリット６の周辺には、長さに応じて異色の識別表示部７を設けている。例えば図１、図５において長いスリット６から、青色、空色、緑色、若草色、黄色、橙色、紫色、赤色に表示している。尚、迷路作製板５の隅部の孔８は、ボード１の孔４に合致し、ガラス玉を通過させるためのものである。
【００２３】
符号９は迷路作製板５のスリット６と同一長さであって、下端にボード１の透孔３と同形で且つ同数の脚部１０を設けた仕切り板であり、同じ長さの複数本の仕切り板をスリット６の識別表示部７の色と同色に着色している。
【００２４】
上記実施例における迷路パズルは、ボード１上に迷路作製板５を重ね、迷路作製板５の各スリット６内に同一長さの仕切り板９を夫々嵌合すると共に、脚部１０を透孔３内に嵌入すれば、迷路作製板５上に突出した仕切り板９と額縁２とにより迷路が形成される。従って、仕切り板９により左右両側が覆われた迷路内を、図１に矢印Ｌで示すようにガラス玉を転動させ、迷路の終端である孔８及びボード１の孔４から、ガラス玉を落下させて遊ぶことができる。上記ボード１上の迷路作製板５を反転したり、別の迷路作製板５に変更するときは、異なったルートの迷路が形成されるので、子供が幾通りもの異なったルートの迷路を容易に構成し、楽しむことができる。
【００２５】
上記実施例においては、スリット６の識別表示部７の色と、仕切り板９の色を長さ毎に同一にしたから、長さの違いを容易に確認できない幼児でも、スリットと同一長さの仕切り板９が直ちに見分けられ、容易に迷路を形成することができる。
【００２６】
尚、図示していないが、上記ボード１の孔４を省略するときは、迷路作製板５の孔８により凹部が形成されるので、この凹部をスタート位置とかゴール位置として、迷路ゲームを楽しむことができる。
【実施例２】
【００２７】
図７及び図８中の符号１０１は額縁１０２内に嵌着したボードであり、全面に一定長さの透孔１０３を格子状に穿設している。また四隅にはガラス玉が通過する孔１０４を設けている。
【００２８】
符号１０５はボード１０１より小さな複数枚の迷路作製板であり、ボード１０１の一個又は複数個の透孔１０３に重なる縦方向及び横方向の多数のスリット１０６を、一枚毎に異なる位置に穿設している。このスリット１０６の周辺には、長さに応じて異色の識別表示部１０７を設けている。尚、迷路作製板１０５の隅部の孔１０８は、ボード１０１の孔１０４に合致し、ガラス玉を通過せるためのものである。
【００２９】
符号１０９は迷路作製板１０５のスリット１０６と同一長さであって、下端に透孔１０３と同形で且つ同数の脚部１１０を設けた仕切り板であり、同じ長さの複数本の仕切り板１０９をスリット１０６の識別表示部１０７と同色に着色している。
【００３０】
額縁１０２の隅部に迷路作製板１０５を重ね、迷路作製板１０５の各スリット１０６に、これと同一長さの仕切り板１０９の下端を嵌合し、脚部１１０をボード１０１の透孔１０３に嵌入した後、迷路作製板１０５の外側のボード１０１の透孔１０３に仕切り板１０９の脚部１１０を嵌入して囲い壁Ｋを形成すると、迷路作製板１０５上に迷路が構成される。
【００３１】
上記囲い壁Ｋに迷路のゲート１１１を設け、囲い壁Ｋの外側のボード１０１の透孔１０３に、仕切り板１０９の脚部１１０を嵌合して任意の迷路を形成すれば、迷路作製板１０５の迷路と自力で作製したボードの迷路により、独自の迷路ゲームを楽しむことができる。
【実施例３】
【００３２】
図８に示すように、ボード１０１の上下に迷路作製板１０５を重ね、両迷路作製板１０５の各スリット１０６に、これと同一長さの仕切り板１０９の下端を嵌合し、脚部１１０をボード１０１の透孔１０３に嵌入した後、両迷路作製板１０５の外側の透孔１０３に仕切り板１０９を嵌合して囲い壁Ｋを形成すれば、両迷路作製板１０５上に迷路が構成される。
【００３３】
上記囲い壁Ｋに迷路のゲート１１１を設け、両迷路作製板１０５の囲い壁Ｋの外側のボード１０１の透孔１０３に、仕切り板１０９の脚部１１０を嵌合して通路を形成すれば、上下両迷路作製板１０５の迷路が通路Ｒにより連結される。
【００３４】
上記実施例２においては、１枚の迷路作製板１０５を使用した場合を、実施例３においては２枚の場合を示したが、３枚、４枚の迷路作製板１０５を使用する場合もある。また実施例１と同様に、スリット１０６の識別表示部１０７の色と、仕切り板１０９の色を長さ毎に同一にしたから、長さの違いを容易に確認できない幼児は、色合わせにより、スリット１０６に仕切り板１０９を間違えることなく嵌合することができる。
【００３５】
実施例１〜３では、スリット６，１０６の周辺に識別表示部７、１０７を設け、仕切り板９，１０９を同一長さの識別表示部７、１０７の色に一致させたが、子供にスリット６，１０６及び仕切り板９，１０９の長さや、透孔３、１０３及び脚部の数を自身で確認させるために、識別表示部７、１０７を省略し、仕切り板９，１０９を色分けしないこともある。またスリット６，１０６より短い仕切り板９，１０９の２枚以上を使ってスリット６，１０６に嵌合することもある。
【符号の説明】
【００３６】
１，１０１        ボード
２，１０２        額  縁
３，１０３        透  孔
４，１０４        孔
５，１０５        迷路作製板
６，１０６        スリット
７，１０７        識別表示部
８，１０８        孔
９，１０９        仕切り板
１０，１１０      脚  部
１１１            ゲート
Ｌ                矢  印
Ｋ                囲い壁
Ｒ                通  路
【図１】
2011015866.tif 000003
【図２】
2011015866.tif 000004
【図３】
2011015866.tif 000005
【図４】
2011015866.tif 000006
【図５】
2011015866.tif 000007
【図６】
2011015866.tif 000008
【図７】
2011015866.tif 000009
【図８】
2011015866.tif 000010
【図９】
2011015866.tif 000011